(57)【要約】かご内又は乗場に設けられたテンキー釦がＯＮ故障した場合であっても、エレベータの呼びを入力することができるエレベータ制御装置を提供する。このため、エレベータのかご内及び乗場の少なくとも一方に設けられ、数字が割当てられたテンキー釦と、テンキー釦のＯＮ故障を検出する釦故障検出装置と、テンキー釦のＯＮ故障の未検出時は、押圧されたテンキー釦に割当てられた数字に対応した情報を出力し、テンキー釦のＯＮ故障の検出時は、ＯＮ故障したテンキー釦の入力を無効にするとともに、ＯＮ故障していないテンキー釦にかごの行先方向を割当て、押圧されたＯＮ故障していないテンキー釦に割当てられたかごの行先方向に対応した情報を出力する釦入力処理装置とを備えた。
2010067439.tif 000002
【特許請求の範囲】
【請求項１】
エレベータのかご内及び乗場の少なくとも一方に設けられ、数字が割当てられたテンキー釦と、
前記テンキー釦のＯＮ故障を検出する釦故障検出装置と、
前記テンキー釦のＯＮ故障の未検出時は、押圧されたテンキー釦に割当てられた数字に対応した情報を出力し、
前記テンキー釦のＯＮ故障の検出時は、ＯＮ故障したテンキー釦の入力を無効にするとともに、ＯＮ故障していないテンキー釦に前記かごの行先方向を割当て、押圧されたＯＮ故障していないテンキー釦に割当てられた前記かごの行先方向に対応した情報を出力する釦入力処理装置と、
を備えたことを特徴とするエレベータ制御装置。
【請求項２】
前記テンキー釦に近接して設けられ、前記テンキー釦のＯＮ故障の検出時に、ＯＮ故障していないテンキー釦に前記かごの行先方向が割当てられたことを報知する報知装置、
を備えたことを特徴とする請求項１記載のエレベータ制御装置。
【請求項３】
前記報知装置は、
前記テンキー釦に設けられ、前記テンキー釦に割当てられる前記かごの行先方向を示す方向灯、
を備え、
前記テンキー釦のＯＮ故障の未検出時は、前記方向灯を消灯し、
前記テンキー釦のＯＮ故障の検出時は、ＯＮ故障していないテンキー釦の方向表示灯を点灯し、ＯＮ故障していないテンキー釦のうち、押圧されたテンキー釦と同方向の行先方向が割当てられたテンキー釦の方向灯の輝度を上げることを特徴とする請求項２記載のエレベータ制御装置。
【請求項４】
前記かご内のテンキー釦のＯＮ故障の検出時に、前記かご内のＯＮ故障していないテンキー釦が押圧されたときの前記かごの位置よりも、押圧されたテンキー釦に割当てられた前記かごの行先方向にある各階を、前記かごの行先階として登録するエレベータ制御機器、
を備えたことを特徴とする請求項１〜請求項３のいずれかに記載のエレベータ制御装置。
【発明の詳細な説明】
【技術分野】
【０００１】
この発明は、テンキー操作機器を使用したエレベータ制御装置に関するものである。
【背景技術】
【０００２】
近年、高層ビルや多階停止のエレベータにおいて、テンキータイプの操作機器の適用率が増加している。このテンキータイプの操作機器では、０〜９の数字の釦の組合わせによって行先階が入力される。【０００３】
また、呼登録釦のＯＮ故障によりエレベータが使用不能になることを防止するとともに、エレベータ利用者がいなくてもＯＮ故障の階間を永久に往復走行することを防止することを目的として、乗場又はかご内に設けられたエレベータの呼登録釦の信号がＯＮ故障していることを検出するＯＮ故障検出回路、このＯＮ故障検出回路が動作するとＯＮ故障の呼登録釦の信号に対するサービスを中止する回路を備えたエレベータ制御装置が提案されている（例えば、特許文献１参照）。【０００４】
【特許文献１】日本特開昭６０−２４８５８２号公報
【発明の開示】
【発明が解決しようとする課題】
【０００５】
一般に、テンキータイプの操作機器でも、テンキー釦のＯＮ故障が発生する場合がある。この場合、故障したテンキー釦に割当てられた数字に対応する階が自動で登録され続けることになる。このため、過剰な呼びが発生するだけでなく、他のテンキー釦によるエレベータの呼びの入力が一切無効となるという問題があった。【０００６】
一方、特許文献１に記載されたものは、ＯＮ故障した釦に割当てられた行先方向の呼びを入力することができないという問題があった。【０００７】
この発明は、上述のような課題を解決するためになされたもので、その目的は、かご内又は乗場に設けられたテンキー釦がＯＮ故障した場合であっても、エレベータの呼びを入力することができるエレベータ制御装置を提供することである。
【課題を解決するための手段】
【０００８】
この発明に係るエレベータ装置は、エレベータのかご内及び乗場の少なくとも一方に設けられ、数字が割当てられたテンキー釦と、前記テンキー釦のＯＮ故障を検出する釦故障検出装置と、前記テンキー釦のＯＮ故障の未検出時は、押圧されたテンキー釦に割当てられた数字に対応した情報を出力し、前記テンキー釦のＯＮ故障の検出時は、ＯＮ故障したテンキー釦の入力を無効にするとともに、ＯＮ故障していないテンキー釦に前記かごの行先方向を割当て、押圧されたＯＮ故障していないテンキー釦に割当てられた前記かごの行先方向に対応した情報を出力する釦入力処理装置とを備えたものである。
【発明の効果】
【０００９】
この発明によれば、かご内又は乗場に設けられたテンキー釦がＯＮ故障した場合であっても、エレベータの呼びを入力することができる。
【図面の簡単な説明】
【００１０】
【図１】この発明の実施の形態１におけるエレベータ制御装置の要部構成図である。
【図２】この発明の実施の形態１におけるエレベータ制御装置のテンキー釦の正面図である。
【図３】図２の要部拡大図である。
【符号の説明】
【００１１】
１  テンキー操作機器、  ２  テンキー釦、  ３  釦故障検出装置、
４  動作モード選択装置、  ５  釦入力処理装置、  ６  テンキー釦灯制御装置、
７  方向灯、  ８  エレベータ制御機器、  ９  釦操作情報、  １０  故障釦情報、  １１  動作モード情報、  １２  釦灯制御情報、
【発明を実施するための最良の形態】
【００１２】
この発明を実施するための最良の形態について添付の図面に従って説明する。なお、各図中、同一又は相当する部分には同一の符号を付しており、その重複説明は適宜に簡略化ないし省略する。【００１３】
実施の形態１．
近年、ビルの高層化に伴い、多階停止のエレベータが増加している。これらのエレベータのかご及び乗場には、テンキータイプの操作機器が設けられる場合が多い。これらの操作機器には、「０」〜「９」に対応したテンキー釦が設けられる。エレベータ利用者は、所望の階の数字に対応したテンキー釦を順次押圧することにより、行先階を登録することができる。例えば、「１」に対応したテンキー釦を押圧した後、「５」に対応したテンキー釦を押圧されると、１５階が行先階として登録される。これにより、２０階、３０階等の多階停止のエレベータでも、呼登録釦の数を増加させることが不要となる。【００１４】
ここで、テンキー釦にＯＮ故障が発生した場合、故障したテンキー釦に割当てられた数字に対応する階が自動で登録され続けることになる。このため、過剰な呼びが発生するだけでなく、他のテンキー釦によるエレベータの呼びの入力が一切無効になる。本発明は、かかる問題点を解決するものである。以下、本発明を実施するための最良の形態について詳細に説明する。【００１５】
まず、図１を用いて、本実施の形態におけるエレベータ制御装置の概要を説明する。
図１はこの発明の実施の形態１におけるエレベータ制御装置の要部構成図である。
図１において、１はテンキー操作機器である。このテンキー操作機器１は、エレベータのかご及び各乗場に設けられる。このテンキー操作機器１は、テンキー釦２、釦故障検出装置３、動作モード選択装置４、釦入力処理装置５、テンキー釦灯制御装置６を備える。なお、図１においては、簡略化のため、一つのテンキー操作機器１のみが示される。【００１６】
テンキー釦２は、エレベータ利用者からの入力に基づいて、釦操作情報９を出力する機能を備える。釦故障検出装置３は、釦操作情報９が入力される機能を備える。そして、釦故障検出装置３は、釦操作情報９に基づいて、各テンキー釦２の故障を検出する機能を備える。さらに、釦故障検出装置３は、各テンキー釦２の故障状態に基づいて、故障釦情報１０を出力する機能を備える。【００１７】
動作モード選択装置４は、故障釦情報１０が入力される機能を備える。そして、動作モード選択装置４は、故障釦情報１０に基づいて、エレベータ動作モードを選択する機能を備える。さらに、動作モード選択装置４は、選択したエレベータ動作モードに基づいて、動作モード情報１１を出力する機能を備える。【００１８】
釦入力処理装置５は、釦操作情報９と動作モード情報１１とが入力される機能を備える。そして、釦入力処理装置５は、釦操作情報９と動作モード情報１１とに基づいて、通常又はバックアップの出力経路を選択し、エレベータの呼情報を出力する機能を備える。【００１９】
テンキー釦灯制御装置６は、釦操作情報９と故障釦情報１０と動作モード情報１１とが入力される機能を備える。そして、テンキー釦灯制御装置６は、釦操作情報９と故障釦情報１０と動作モード情報１１とに基づいて、釦灯制御情報１２を出力する機能を備える。方向灯７は、各テンキー釦２に近接して設けられる。具体的には、方向灯７は、各テンキー釦２に内臓されたＬＥＤ等を備える。この方向灯７は、釦灯制御情報１２が入力される機能を備える。そして、方向灯７は、釦灯制御情報１２に基づいて、点灯する機能を備える。【００２０】
８はエレベータ制御機器である。このエレベータ制御機器８は、エレベータ全体の動作を制御する機能を備える。具体的には、エレベータ制御機器８は、エレベータ制御機器８は、釦入力装処理装置５が出力した呼情報に基づいて、エレベータのかごを昇降させる機能を備える。【００２１】
次に、図２及び図３を用いながら、エレベータ制御装置の動作をより詳細に説明する。
図２はこの発明の実施の形態１におけるエレベータ制御装置のテンキー釦の正面図である。図３は図２の要部拡大図である。【００２２】
本実施の形態のエレベータ制御装置においては、釦故障検出装置３が、テンキー釦２がＯＮ故障状態にあるか否かを判断する。具体的には、釦故障検出装置３は、定期的にテンキー釦２のＯＮ／ＯＦＦ状態を確認し、一定時間以上ＯＦＦ状態とならずにＯＮ状態となっているテンキー釦２をＯＮ故障状態にあると判断する。そして、釦故障検出装置３がどのテンキー釦２もＯＮ故障していないという故障釦情報１０を出力すると、動作モード選択装置４は、エレベータの運転モードとして、「通常時モード」を選択する。【００２３】
そして、釦入力処理装置５には、動作モード情報１１として「通常時モード」が入力される。この状態で、エレベータ利用者が所望の階床の数字に対応するテンキー釦２を押圧すると、釦入力処理装置５は、押圧されたテンキー釦２の釦操作情報９をそのまま通常の出力経路に出力する。このとき、テンキー釦灯制御装置６は、釦灯制御情報１２を出力しない。従って、方向灯７は点灯しない。そして、エレベータ制御機器８は、釦操作情報９に基づいて、行先階を登録する。これにより、かごは、登録された行先階に到着する。【００２４】
一方、釦故障検出装置３は、乗場のいずれかのテンキー釦２がＯＮ故障していると判断した場合に、故障釦情報１０として、テンキー釦２が故障している情報とどのテンキー釦２が故障しているかという情報を出力する。この場合、動作モード選択装置４は、エレベータの運転モードとして、「バックアップモード」を選択する。そして、釦入力処理装置５には、動作モード情報１１として「バックアップモード」が入力される。【００２５】
このとき、釦入力処理装置５は、ＯＮ故障したテンキー釦２の入力を無効にするとともに、ＯＮ故障していないテンキー釦２にかごの行先方向を割当てる。具体的には、図２に示すように、釦入力処理装置５は、テンキー釦２で上半分に配置された「１」〜「６」に対応するテンキー釦２のうち、ＯＮ故障していないものに、上昇方向を割当てる。また、釦入力処理装置５は、テンキー釦２の下半分に配置された「７」〜「９」、「０」に対応するテンキー釦２及び予備のテンキー釦２のうち、ＯＮ故障していないものに、下降方向を割当てる。【００２６】
これと同時に、テンキー釦灯制御装置６は、ＯＮ故障していない全ての方向灯７に半輝度で点灯するように指示する釦灯制御情報１２を出力する。これにより、図３に示すように、上昇方向及び下降方向の如何に関わらず、ＯＮ故障していない方向灯７の全てが半輝度で点灯する。ここで、方向灯７は、図３に示すように、テンキー釦２に割当てられるかごの行先方向を示す矢印形状をなしている。従って、エレベータ利用者は、エレベータの運転モードが「バックアップモード」になったことを認識することができる。即ち、方向灯７は、テンキー釦２のＯＮ故障の検出時に、ＯＮ故障していないテンキー釦２にかごの行先方向が割当てられたことを報知する報知装置として機能している。【００２７】
この状態で、エレベータ利用者がＯＮ故障していないテンキー釦２を押圧すると、釦入力処理装置５は、アップ／ダウン情報をバックアップの出力経路に出力する。具体的には、釦入力処理装置５は、押圧されたテンキー釦２の釦操作情報９を割り付けられたかごの行先方向を示すアップ／ダウン情報に変換して、バックアップの出力経路に出力する。これにより、エレベータ制御機器８には、当該行先方向の呼びが登録される。さらに、エレベータ制御機器８には、当該乗場よりも当該行先方向にある各階が行先階として登録される。【００２８】
また、テンキー釦灯制御装置６は、ＯＮ故障していないテンキー釦２のうち、押圧されたテンキー釦２と同方向の行先方向が割当てられたテンキー釦２の方向灯７に、全輝度で点灯するように指示する釦灯制御情報１２を出力する。ここで、全輝度とは、半輝度よりも輝度を上げた状態にあることをいう。これにより、ＯＮ故障していない方向灯７のうち、釦入力処理装置５に出力された行先方向と同方向の方向灯７が全て全輝度で点灯する。【００２９】
そして、かごが当該乗場に到着した場合、釦灯制御情報１２は、全輝度で点灯している方向灯７に、半輝度で点灯するように指示する釦灯制御情報１２を出力する。これにより、全輝度で点灯していた方向灯７は、半輝度の点灯状態に戻る。その後、エレベータ制御機器８は、かごを、先に登録された行先方向の各階毎に停止させる。そして、エレベータの運転モードとして「通常時モード」が選択されるまで、「バックアップモード」での運転が繰り返される。【００３０】
また、かご内のテンキー釦２がＯＮ故障した場合も、乗場のテンキー釦２がＯＮ故障した場合と略同様の動作が行われる。この場合、エレベータ制御機器８は、かご内のＯＮ故障していないテンキー釦２が押圧されたときのかごの位置よりも、押圧されたテンキー釦２に割当てられたかごの行先方向にある各階を、かごの行先階として登録する。そして、かごが当該行先方向の最端階に到着した場合、釦灯制御情報１２は、全輝度で点灯している方向灯７に、半輝度で点灯するように指示する釦灯制御情報１２を出力する。これにより、全輝度で点灯していた方向灯７は、半輝度の点灯状態に戻る。【００３１】
以上で説明した実施の形態１によれば、釦入力処理装置５は、テンキー釦２のＯＮ故障の検出時は、ＯＮ故障したテンキー釦２の入力を無効にするとともに、ＯＮ故障していないテンキー釦２に前記かごの行先方向を割当てる。そして、釦入力処理装置５は、押圧されたＯＮ故障していないテンキー釦２に割当てられたかごの行先方向に対応した情報を出力する。このため、かご内又は乗場に設けられたテンキー釦２がＯＮ故障した場合であっても、エレベータの呼びとして、かごの行先方向を入力することができる。【００３２】
また、テンキー釦２に近接して設けられた方向灯７が、テンキー釦２のＯＮ故障の検出時に、ＯＮ故障していないテンキー釦２にかごの行先方向が割当てられたことを報知する。このため、テンキー釦２のＯＮ故障時に、ＯＮ故障していないテンキー釦２で、かごのアップ／ダウン入力ができることをエレベータ利用者に知らせることができる。なお、かかる手段は、方向灯７に限られない。例えば、かかる内容を文字でディスプレイ表示して報知してもよいし、音声アナウンスで報知してもよい。【００３３】
さらに、テンキー釦２のＯＮ故障の未検出時は、方向灯７は消灯し、テンキー釦２のＯＮ故障の検出時は、ＯＮ故障していないテンキー釦２の方向灯７が点灯する。また、ＯＮ故障していないテンキー釦２のうち、押圧されたテンキー釦２と同方向の行先方向が割当てられたテンキー釦２の方向灯７の輝度が上がる。このため、エレベータ利用者は、テンキー釦２での通常の入力ができないことを直感的に認識できるとともに、所望の行先方向が正式に入力されたことを視認することができる。また、メンテナンス作業者がＯＮ故障したテンキー釦２の交換を忘れることがない。即ち、テンキー釦２のＯＮ故障状態の放置が防止される。【００３４】
さらに、エレベータ制御機器８は、かご内のテンキー釦２のＯＮ故障の検出時に、かご内のＯＮ故障していないテンキー釦２が押圧された場合に、かごの位置よりも押圧されたテンキー釦２に割当てられたかごの行先方向にある各階を、かごの行先階として登録する。このため、ＯＮ故障したテンキー釦２に割当てられた数字を含む階にもかごを到着させることができる。【００３５】
例えば、「１」に対応したテンキー釦２がＯＮ故障した場合、かかるテンキー釦２の入力を単に無効にするだけでは、１階、１５階、２１階等、「１」の含む階を、行先階として登録できない。しかし、本実施の形態におけるエレベータ制御装置においては、例えば、３階にいるエレベータ利用者が１階に行くことを希望する場合には、下降方向の割当てられたＯＮ故障していないテンキー釦２を押圧すれば、希望通り１階に行くことができる。
【産業上の利用可能性】
【００３６】
以上のように、この発明にかかるエレベータ装置によれば、かご内又は乗場に設けられたテンキー釦がＯＮ故障した場合であっても、エレベータの呼びを入力することができるエレベータに利用できる。
【図１】
2010067439.tif 000003
【図２】
2010067439.tif 000004
【図３】
2010067439.tif 000005
【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
エレベータのかご内及び乗場の少なくとも一方に設けられ、数字が割当てられたテンキー釦と、
前記テンキー釦のＯＮ故障を検出する釦故障検出装置と、
前記テンキー釦のＯＮ故障の未検出時は、押圧されたテンキー釦に割当てられた数字に対応した情報を出力し、
前記テンキー釦のＯＮ故障の検出時は、ＯＮ故障したテンキー釦の入力を無効にするとともに、ＯＮ故障していないテンキー釦に前記かごの行先方向を割当て、押圧されたＯＮ故障していないテンキー釦に割当てられた前記かごの行先方向に対応した情報を出力する釦入力処理装置と、
を備えたことを特徴とするエレベータ制御装置。
【請求項２】
前記テンキー釦に近接して設けられ、前記テンキー釦のＯＮ故障の検出時に、ＯＮ故障していないテンキー釦に前記かごの行先方向が割当てられたことを報知する報知装置、
を備えたことを特徴とする請求項１記載のエレベータ制御装置。
【請求項３】
前記報知装置は、
前記テンキー釦に設けられ、前記テンキー釦に割当てられる前記かごの行先方向を示す方向灯、
を備え、
前記テンキー釦のＯＮ故障の未検出時は、前記方向灯を消灯し、
前記テンキー釦のＯＮ故障の検出時は、ＯＮ故障していないテンキー釦の方向灯を点灯し、ＯＮ故障していないテンキー釦のうち、押圧されたテンキー釦と同方向の行先方向が割当てられたテンキー釦の方向灯の輝度を上げることを特徴とする請求項２記載のエレベータ制御装置。
【請求項４】
前記かご内のテンキー釦のＯＮ故障の検出時に、前記かご内のＯＮ故障していないテンキー釦が押圧されたときの前記かごの位置よりも、押圧されたテンキー釦に割当てられた前記かごの行先方向にある各階を、前記かごの行先階として登録するエレベータ制御機器、
を備えたことを特徴とする請求項１〜請求項３のいずれかに記載のエレベータ制御装置。
【国際調査報告】
2010067439.tif 000006
2010067439.tif 000007
2010067439.tif 000008
2010067439.tif 000009